(57)【特許請求の範囲】
【請求項１】
運転周波数を変更可能な圧縮機と、
前記圧縮機からの冷媒を利用することによって空気の温度を制御するための空気熱交換器と、前記空気熱交換器の内部における前記冷媒の温度を測定するための第１の温度センサと、前記空気熱交換器の出口における前記冷媒の温度を測定するための第２の温度センサとを有する空気調和機と、
前記圧縮機からの冷媒を利用することによって水の温度を制御するための水熱交換器を有する給湯器と、
前記圧縮機を制御するためのコントローラとを備え、
前記コントローラは、
前記空気調和機の停止中であって、かつ前記給湯器が運転中に、前記空気熱交換器の内部における前記冷媒の温度が前記空気熱交換器の出口における前記冷媒の温度以上であるときに、前記空気熱交換器の内部における前記冷媒の温度に基づいて前記圧縮機の運転周波数を制御し、
前記空気調和機の停止中であって、かつ前記給湯器が運転中に、前記空気熱交換器の内部における前記冷媒の温度が前記空気熱交換器の出口における前記冷媒の温度未満であるときに、前記空気熱交換器の出口における前記冷媒の温度に基づいて前記圧縮機の運転周波数を制御し、
前記空気調和機の運転中に、前記空気熱交換器の内部における前記冷媒の温度に基づいて前記圧縮機の運転周波数を制御する、ヒートポンプシステム。
【請求項２】
前記コントローラは、前記空気調和機の停止中に、
前記空気熱交換器の内部における前記冷媒の温度が前記空気熱交換器の出口における前記冷媒の温度以上であるときに、前記空気熱交換器の内部における前記冷媒の温度が予め定められた第１の温度以上であるとき、前記圧縮機の運転周波数を低下させ、
前記空気熱交換器の内部における前記冷媒の温度が前記空気熱交換器の出口における前記冷媒の温度未満であるときに、前記空気熱交換器の出口における前記冷媒の温度が前記第１の温度以上であるとき、前記圧縮機の運転周波数を低下させ、
前記空気調和機の運転中に、前記空気熱交換器の内部における前記冷媒の温度が予め定められた第２の温度以上であるときに、前記圧縮機の運転周波数を低下させる、請求項１に記載のヒートポンプシステム。
【請求項３】
前記第１の温度センサは、前記空気熱交換器の内部における前記冷媒の配管の温度を前記冷媒の温度として測定し、
前記第２の温度センサは、前記空気熱交換器の出口における前記冷媒の配管の温度を前記冷媒の温度として測定する、請求項１または２に記載のヒートポンプシステム。
【請求項４】
運転周波数を変更可能な圧縮機と、前記圧縮機からの冷媒を利用することによって室内空気の温度を制御するための空気熱交換器と前記空気熱交換器の内部における前記冷媒の温度を測定するための第１の温度センサと前記空気熱交換器の出口における前記冷媒の温度を測定するための第２の温度センサとを有する空気調和機と、前記圧縮機からの冷媒を利用することによって水の温度を制御するための給湯器と、前記圧縮機を制御するための
コントローラとを含むヒートポンプシステムの制御方法であって、
前記コントローラが、前記空気調和機の運転状況および前記給湯器の運転状況を確認するステップと、
前記空気調和機の停止中であって、かつ前記給湯器が運転中に、前記コントローラが、前記空気熱交換器の内部における前記冷媒の温度および前記空気熱交換器の出口における前記冷媒の温度のいずれが高いかを判断するステップと、
前記コントローラが、前記空気調和機の停止中であって、かつ前記給湯器が運転中に、前記空気熱交換器の内部における前記冷媒の温度が前記空気熱交換器の出口における前記冷媒の温度以上であるときに、前記空気熱交換器の内部における前記冷媒の温度に基づいて前記圧縮機の運転周波数を制御するステップと、
前記コントローラが、前記空気調和機の停止中であって、かつ前記給湯器が運転中に、前記空気熱交換器の内部における前記冷媒の温度が前記空気熱交換器の出口における前記冷媒の温度未満であるときに、前記空気熱交換器の出口における前記冷媒の温度に基づいて前記圧縮機を制御するステップと、
前記コントローラが、前記空気調和機の運転中に、前記空気熱交換器の内部における前記冷媒の温度に基づいて前記圧縮機の運転周波数を制御するステップとを備える、ヒートポンプシステムの制御方法。
【発明の詳細な説明】
【技術分野】
【０００１】
本発明は、空気調和機と給湯器とを含むヒートポンプシステムの技術に関し、特に空気調和機の空気熱交換器と給湯器の水熱交換器とに冷媒を供給するための、運転周波数を変更可能な圧縮機を含むヒートポンプシステムの技術に関する。
【背景技術】
【０００２】
運転周波数を変更可能な圧縮機を含むヒートポンプシステムが知られている。そのようなヒートポンプシステムの中には、空気調和機の冷媒の温度に基づいて、圧縮機の運転周波数を変更するものがある。
【０００３】
たとえば、特開２００９−２９９９１４号公報（特許文献１）には、多室空気調和機が開示されている。特開２００９−２９９９１４号公報（特許文献１）には、暖房運転中のサーモオン室内機の能力ランクに応じて圧縮機の基本周波数を決定し、外気温度と圧縮機周波数より室外ファン回転数を決定し、暖房運転中接続全室内機の室内熱交換器温度と目標凝縮温度、室外熱交換器温度と外気温度のそれぞれの差温によって圧縮機周波数または室外ファン回転数を上昇補正することが記載されている。
【先行技術文献】
【特許文献】
【０００４】
【特許文献１】特開２００９−２９９９１４号公報
【発明の概要】
【発明が解決しようとする課題】
【０００５】
空気熱交換器や水熱交換器の内部を流れる冷媒の圧力の上昇を制限することによって、ヒートポンプシステムの各部が過負荷になることを防止したい。たとえば、冷媒の配管の温度を測定することによって、空気熱交換器や水熱交換器の内部を流れる冷媒の圧力を推定することが考えられる。
【０００６】
ここで、空気熱交換器内部に位置する冷媒の配管の周りには室内空気が流れるため、空気熱交換器内部に位置する冷媒の配管の温度を測定することは容易である。しかしながら、水熱交換器内部に位置する冷媒の配管の周りには水が流れるため、水熱交換器内部に位置する冷媒の配管の温度を測定することは困難である。換言すれば、水熱交換器内部に位置する冷媒の配管の温度を測定するためのコストは、空気熱交換器内部に位置する冷媒の配管の温度を測定するためのコストよりも高い。
【０００７】
本発明の目的は、かかる問題を解決するためになされたものであり、その目的は、水熱交換器内部に位置する冷媒の配管の温度を測定せずとも、圧縮機の運転周波数を有効に制御することができるヒートポンプシステムを提供することにある。
【課題を解決するための手段】
【０００８】
この発明のある局面に従うと、運転周波数を変更可能な圧縮機と、圧縮機からの冷媒を利用することによって空気の温度を制御するための空気熱交換器と、空気熱交換器の内部における冷媒の温度を測定するための第１の温度センサと、空気熱交換器の出口における冷媒の温度を測定するための第２の温度センサとを有する空気調和機と、圧縮機からの冷媒を利用することによって水の温度を制御するための水熱交換器を有する給湯器と、圧縮機を制御するためのコントローラとを備えるヒートポンプシステムが提供される。暖房サイクルにおいて、コントローラは、空気熱交換器の内部における冷媒の温度が空気熱交換器の出口における冷媒の温度以上であるときに、空気熱交換器の内部における冷媒の温度に基づいて圧縮機の運転周波数を制御し、空気熱交換器の内部における冷媒の温度が空気熱交換器の出口における冷媒の温度未満であるときに、空気熱交換器の出口における冷媒の温度に基づいて圧縮機の運転周波数を制御する。
【０００９】
好ましくは、コントローラは、空気調和機の停止中かつ給湯器の運転中に、空気熱交換器の内部における冷媒の温度が空気熱交換器の出口における冷媒の温度以上であるときに、空気熱交換器の内部における冷媒の温度に基づいて圧縮機の運転周波数を制御し、空気熱交換器の内部における冷媒の温度が空気熱交換器の出口における冷媒の温度未満であるときに、空気熱交換器の出口における冷媒の温度に基づいて圧縮機を制御する。コントローラは、空気調和機の暖房運転中に、空気熱交換器の内部における冷媒の温度に基づいて圧縮機の運転周波数を制御する。
【００１０】
好ましくは、コントローラは、空気調和機の停止中かつ給湯器の運転中に、空気熱交換器の内部における冷媒の温度が空気熱交換器の出口における冷媒の温度以上であるときに、空気熱交換器の内部における冷媒の温度が予め定められた第１の温度以上であるとき、圧縮機の運転周波数を低下させ、空気熱交換器の内部における冷媒の温度が空気熱交換器の出口における冷媒の温度未満であるときに、空気熱交換器の出口における冷媒の温度が第１の温度以上であるとき、圧縮機の運転周波数を低下させる。コントローラは、空気調和機の暖房運転中に、空気熱交換器の内部における冷媒の温度が予め定められた第２の温度以上であるときに、圧縮機の運転周波数を低下させる。
【００１１】
好ましくは、第１の温度センサは、空気熱交換器の内部における冷媒の配管の温度を冷媒の温度として測定する。第２の温度センサは、空気熱交換器の出口における冷媒の配管の温度を冷媒の温度として測定する。
【００１２】
この発明の別の局面に従うと、運転周波数を変更可能な圧縮機と、圧縮機からの冷媒を利用することによって室内空気の温度を制御するための空気熱交換器と空気熱交換器の内部における冷媒の温度を測定するための第１の温度センサと空気熱交換器の出口における冷媒の温度を測定するための第２の温度センサとを有する空気調和機と、圧縮機からの冷媒を利用することによって水の温度を制御するための給湯器と、圧縮機を制御するためのコントローラとを含むヒートポンプシステムの制御方法が提供される。制御方法は、コントローラが、空気熱交換器の内部における冷媒の温度および空気熱交換器の出口における冷媒の温度のいずれが高いかを判断するステップと、コントローラが、空気熱交換器の内部における冷媒の温度が空気熱交換器の出口における冷媒の温度以上であるときに、空気熱交換器の内部における冷媒の温度に基づいて圧縮機の運転周波数を制御するステップと、コントローラが、空気熱交換器の内部における冷媒の温度が空気熱交換器の出口における冷媒の温度未満であるときに、空気熱交換器の出口における冷媒の温度に基づいて圧縮機を制御するステップとを備える。
【発明の効果】
【００１３】
以上のように、本発明によって、水熱交換器内部に位置する冷媒の配管の温度を測定せずとも、圧縮機の運転周波数を有効に制御することができるヒートポンプシステムを提供することにある。
【図面の簡単な説明】
【００１４】
【図１】本実施の形態に係るヒートポンプシステム１の全体構成を示すイメージ図である。
【図２】本実施の形態に係るコントローラ１００のハードウェア構成を表わすブロック図である。
【図３】本実施の形態に係るコントローラ１００による制御処理の処理手順を示すフローチャートである。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
＜ヒートポンプシステムの全体構成＞
まず、本実施の形態に係るヒートポンプシステムの全体構成について説明する。図１は、本実施の形態に係るヒートポンプシステム１の全体構成を示すイメージ図である。
【００１７】
図１を参照して、ヒートポンプシステム１は、給湯器２０１、給湯器２０１用の電子膨張弁２２１、室外熱交換器２５４、それらを連結する冷媒配管２５１を含むヒートポンプ回路を含む。ヒートポンプ回路は、給湯器２０１と、給湯器２０１用の電子膨張弁２２１とに並列に、エアーコンディショナ２０２と、エアーコンディショナ２０２用の電子膨張弁２２２とをさらに含む。エアーコンディショナ２０２と、エアーコンディショナ２０２用の電子膨張弁２２２は、冷媒配管２５２によって連結されている。このヒートポンプ回路内では、たとえばＣＯ２が冷媒として循環している。
【００１８】
給湯器２０１は、冷媒配管２５１を流れる冷媒と水との間で熱を交換するための、水熱交換器２１１と、水熱交換器２１１の直後の冷媒配管２５１の温度を測定するための水出口温度センサ２３３とを含む。
【００１９】
エアーコンディショナ２０２は、室内に配置される。エアーコンディショナ２０２は、冷媒配管２５２を流れる冷媒と室内空気との間で熱を交換するための空気熱交換器２１２と、空気熱交換器２１２の内部（中央部）に位置する冷媒の配管２５２の温度を測定するための空気熱交中間温度センサ２３１と、空気熱交換器２１２の直後の冷媒配管２５２の温度を測定するための空気出口温度センサ２３２とを含む。
【００２０】
なお、本実施の形態においては、空気熱交中間温度センサ２３１は、空気熱交換器２１２内部において、冷媒配管２５２の外周に密接するように設置される。このような構成によって、空気熱交換器２１２の内部を流れる冷媒あるいは空気熱交換器２１２の内部に滞留する冷媒の温度を測定することができる。
【００２１】
圧縮機２５３は、電動モータとアキュムレータとを内蔵する。圧縮機２５３は、後述するコントローラ１００からの指令に基づいて、電動モータの運転周波数を変更する。アキュムレータは、電動モータによって駆動される。アキュムレータは、気相冷媒を臨界圧力以上まで圧縮し、圧縮された気相冷媒を四方弁２５６へと吐出する。すなわち、圧縮機２５３は、コントローラ１００からの指令に基づいて、冷媒の吐出速度を変更する。
【００２２】
圧縮機２５３からの気相冷媒は、電子膨張弁２２１が開放されているときは、四方弁２５６、冷媒配管２５１、給湯器２０１の水熱交換器２１１、電子膨張弁２２１、室外熱交換器２５４を通って、四方弁２５６へと戻ってくる。本実施の形態においては、四方弁２５６は暖房サイクルを構成するように切り替えられており、給湯器２０１（水熱交換器２１１）が停止しているときには電子膨張弁２２１が閉じられ（絞られ）、給湯器２０１（水熱交換器２１１）が運転しているときには電子膨張弁２２１が開かれる。
【００２３】
また、圧縮機２５３からの気相冷媒は、電子膨張弁２２２が開放されているときは、四方弁２５６、冷媒配管２５２、エアーコンディショナ２０２の空気熱交換器２１２、電子膨張弁２２２、室外熱交換器２５４を通って、四方弁２５６へと戻ってくる。本実施の形態においては、エアーコンディショナ２０２（空気熱交換器２１２）が停止しているときには電子膨張弁２２２が閉じられ（絞られ）、エアーコンディショナ２０２（空気熱交換器２１２）が運転しているときには電子膨張弁２２２が開かれる。
【００２４】
室外熱交換器２５４は、冷媒と室外の大気との熱交換を実行する。室外熱交換器２５４の近傍には送風ファン２５５が配置されている。送風ファン２５５は、室外熱交換器２５４内における、大気から冷媒への熱の移動（冷媒の吸熱）を促進する。
【００２５】
コントローラ１００は、給湯器２０１、エアーコンディショナ２０２、電子膨張弁２２１、電子膨張弁２２２、圧縮機２５３、送風ファン２５５などの動作を制御する。たとえば、コントローラ１００は、圧縮機２５３の運転周波数を制御することによって、冷媒の循環を制御する。
【００２６】
また、コントローラ１００は、空気熱交中間温度センサ２３１から空気熱交換器２１２内を流れる冷媒の温度を示すデータを受信する。コントローラ１００は、空気出口温度センサ２３２から空気熱交換器２１２直後の冷媒の温度を示すデータを受信する。コントローラ１００は、水出口温度センサ２３３から水熱交換器２１１直後の冷媒の温度を示すデータを受信する。コントローラ１００は、それらの温度に基づいて圧縮機２５３の運転周波数を制御することによって、エアーコンディショナ２０２からの空気や給湯器２０１からの水の温度を調節することができる。
【００２７】
＜コントローラ１００のハードウェア構成＞
本実施の形態に係るコントローラ１００のハードウェア構成の一態様について説明する。図２は、本実施の形態に係るコントローラ１００のハードウェア構成を表わすブロック図である。
【００２８】
なお、後述するコントローラ１００の代わりに、たとえば、メモリと演算装置とインターフェイスとを含むマイクロコンピュータなど、他のコンピュータを利用してもよい。また、後述するＣＰＵ（Central  Processing  Unit）１１０の代わりに、たとえば、ＭＰＵ（Micro Processing Unit）など、他の演算装置を利用しても良い。
【００２９】
コントローラ１００は、メモリ１０１と、ディスプレイ１０２と、タブレット１０３と、ボタン１０４と、通信インターフェイス１０５と、ＣＰＵ１１０とを含む。
【００３０】
メモリ１０１は、各種のＲＡＭ（Random  Access  Memory）や、ＲＯＭ（Read-Only  Memory）や、ハードディスクなどによって実現される。たとえば、メモリ１０１は、読取用のインターフェイスを介して利用される、ＵＳＢ（Universal  Serial  Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００３１】
メモリ１０１は、ＣＰＵ１１０によって実行される制御プログラム、エアーコンディショナ２０２が停止中における判定温度（第１の判定温度）と、エアーコンディショナ２０２が運転中における判定温度（第２の判定温度）などを記憶する。
【００３２】
ディスプレイ１０２は、ＣＰＵ１１０によって制御されることによって、ヒートポンプシステム１の運転状態を表示する。タブレット１０３は、ユーザの指によるタッチ操作を検出して、タッチ座標などをＣＰＵ１１０に入力する。ＣＰＵ１１０は、タブレット１０３を介して、ユーザからの命令を受け付ける。たとえば、ＣＰＵ１１０は、タブレット１０３を介して、ユーザから、給湯器２０１から出水されるべき水の温度（設定温度）を受け付ける。ＣＰＵ１１０は、タブレット１０３を介して、ユーザから、室内設定温度（あるいはエアーコンディショナ２０２から出力される空気の温度）を受け付ける。
【００３３】
本実施の形態においては、ディスプレイ１０２の表面にタブレット１０３が敷設されている。すなわち、本実施の形態においては、ディスプレイ１０２とタブレット１０３とがタッチパネル１０６を構成する。ただし、コントローラ１００は、タブレット１０３を有していなくとも良い。
【００３４】
ボタン１０４は、コントローラ１００の表面に配置される。テンキーなどの複数のボタンがコントローラ１００に配置されても良い。ボタン１０４は、ユーザから様々な命令を受け付ける。ボタン１０４は、ユーザからの命令をＣＰＵ１１０に入力する。
【００３５】
通信インターフェイス１０５は、ＣＰＵ１１０からの指令に基づいて、たとえば、有線ＬＡＮ、無線ＬＡＮ、ＰＬＣ、あるいはBluetooth（登録商標）などを利用することによって、圧縮機２５３、送風ファン２５５、空気熱交中間温度センサ２３１と、空気出口温度センサ２３２と、水出口温度センサ２３３と、外気温度センサ２３４とデータを送受信する。
【００３６】
ＣＰＵ１１０は、メモリ１０１に記憶されている各種のプログラムを実行する。コントローラ１００における処理は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００３７】
このようなソフトウェアは、図示しない読取装置を利用することによってその記憶媒体から読み取られて、あるいは、通信インターフェイス１０５を利用することによってサーバなどからダウンロードされて、メモリ１０１に一旦格納される。ＣＰＵ１１０は、ソフトウェアを実行可能なプログラムの形式でメモリ１０１に格納してから、当該プログラムを実行する。
【００３８】
なお、ダウンロードされるソフトウェアを記憶する媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００３９】
なお、ここでいうプログラムとは、ＣＰＵにより直接実行可能なプログラムだけでなく、ソースプログラム形式のプログラム、圧縮処理されたプログラム、暗号化されたプログラム等を含む。
【００４０】
＜制御処理＞
次に、本実施の形態に係るコントローラ１００による制御処理について説明する。図３は、本実施の形態に係るコントローラ１００による制御処理の処理手順を示すフローチャートである。
【００４１】
図３を参照して、ＣＰＵ１１０は、通信インターフェイス１０５を介して、エアーコンディショナ２０２からエアーコンディショナ２０２が運転中であることを示すデータを受信したか否かを判断する（ステップＳ１０２）。エアーコンディショナ２０２が運転中である場合（ステップＳ１０２においてＹＥＳである場合）、ＣＰＵ１１０は、通信インターフェイス１０５を介して、空気熱交中間温度センサ２３１からエアーコンディショナ２０２の空気熱交換器２１２内部の冷媒の温度を取得する。
【００４２】
ＣＰＵ１１０は、変数Ｔ１に空気熱交換器２１２内部の冷媒の温度を代入する（ステップＳ１０４）。ＣＰＵ１１０は、変数Ｔ２にエアーコンディショナ２０２の運転中用の判定温度を代入する。ＣＰＵ１１０は、ステップＳ１１４からの処理を実行する。
【００４３】
エアーコンディショナ２０２が運転中でない場合（ステップＳ１０２においてＮＯである場合）、ＣＰＵ１１０は、給湯器２０１から給湯器２０１が運転中であることを示すデータを受信したか否かを判断する（ステップＳ１０６）。給湯器２０１が運転中でない場合（ステップＳ１０６においてＮＯである場合）、ＣＰＵ１１０は、ステップＳ１０２からの処理を繰り返す。
【００４４】
給湯器２０１が運転中である場合（ステップＳ１０６においてＹＥＳである場合）、ＣＰＵ１１０は、空気熱交中間温度センサ２３１からのデータと、空気出口温度センサ２３２からのデータとに基づいて、エアーコンディショナ２０２の空気熱交換器２１２内部の冷媒の温度が空気熱交換器２１２直後の冷媒の温度以上であるか否かを判断する（ステップＳ１０８）。
【００４５】
空気熱交換器２１２内部の冷媒の温度が空気熱交換器２１２直後の冷媒の温度以上である場合（ステップＳ１０８においてＹＥＳである場合）、ＣＰＵ１１０は、変数Ｔ１に空気熱交換器２１２内部の冷媒の温度を代入する（ステップＳ１１０）。ＣＰＵ１１０は、変数Ｔ２にエアーコンディショナ２０２の停止中用の判定温度を代入する。ＣＰＵ１１０は、ステップＳ１１４からの処理を実行する。
【００４６】
空気熱交換器２１２内部の冷媒の温度が空気熱交換器２１２直後の冷媒の温度未満である場合（ステップＳ１０８においてＹＥＳである場合）、ＣＰＵ１１０は、変数Ｔ１に空気熱交換器２１２直後の冷媒の温度を代入する（ステップＳ１１２）。ＣＰＵ１１０は、変数Ｔ２にエアーコンディショナ２０２の停止中用の判定温度を代入する。
【００４７】
ＣＰＵ１１０は、変数Ｔ１≧変数Ｔ２であるか否かを判断する（ステップＳ１１４）。変数Ｔ１≧変数Ｔ２である場合（ステップＳ１１４においてＹＥＳである場合）、ＣＰＵ１１０は、通信インターフェイス１０５を介して圧縮機２５３の運転周波数を低下させる。変数Ｔ１≧変数Ｔ２である場合には、冷媒の圧力が圧縮機２５３やヒートポンプ回路の許容値を超える可能性がある。圧縮機２５３の運転周波数を低下させることによって、圧縮機２５３の過負荷状態を解消できる可能性が高い。ＣＰＵ１１０は、ステップＳ１０２からの処理を繰り返す。
【００４８】
ＣＰＵ１１０は、変数Ｔ１≧変数Ｔ２でない場合（ステップＳ１１４においてＮＯである場合）、冷媒の圧力が圧縮機２５３やヒートポンプ回路の許容値を超える可能性が低い。ＣＰＵ１１０は、ステップＳ１０２からの処理を繰り返す。
【００４９】
＜まとめ＞
エアーコンディショナ２０２が運転中の場合は、エアーコンディショナ２０２の空気熱交換器２１２の中間の温度を用いて、冷媒の圧力状態を検知することが可能である。そして、その中間の温度に基づいて圧力の過剰な上昇を防止できる。
【００５０】
本実施の形態においては、コントローラ１００が、空気熱交換器２１２の中間の温度と実験的に予め決定される運転中の判定温度とを比較する。コントローラ１００は、空気熱交換器２１２の中間の温度が高い場合は、冷媒の圧力が上がりすぎていると判断する。コントローラ１００は、圧縮機２５３の運転周波数を下げる。
【００５１】
一方、エアーコンディショナ２０２が停止中で、給湯器２０１が運転中の場合には、コントローラ１００は、空気熱交換器２１２の中間の温度と出口の温度とを比較する。コントローラ１００は、高い方の温度と実験的に予め決定されている判定温度とを比較する。コントローラ１００は、当該高い方の温度が判定温度よりも高い場合は、冷媒の圧力が上がり過ぎていると判断し、圧縮機２５３の運転周波数を下げる。
【００５２】
より詳細には、エアーコンディショナ２０２が運転中である場合には、エアーコンディショナ２０２用の電子膨張弁２２２が開放されているが、エアーコンディショナ２０２が停止中である場合は、エアーコンディショナ２０２用の電子膨張弁２２２が閉じられている。すなわち、給湯器２０１のみが運転されている場合は、エアーコンディショナ２０２には冷媒が滞留する。
【００５３】
一方で、冷媒の圧力を検知する為にはエアーコンディショナ２０２の空気熱交換器２１２や給湯器２０１の水熱交換器２１１の中間における冷媒の温度を検知することが望ましい。しかしながら、給湯器２０１の水熱交換器２１１の中間の冷媒の温度を測定するための温度センサを、冷媒配管２５１内や、冷媒の周囲の配管内に設けることは困難である。そのような状況に耐え得る高価な温度センサを使用することにもなるからである。
【００５４】
本実施の形態においては、熱交換前の高温・高圧の冷媒が溜まっているエアーコンディショナ２０２の空気熱交換器２１２の中間の冷媒の温度と空気熱交換器２１２直後の冷媒の温度の高い方を利用することによって、より正確にヒートポンプ回路の高圧側の圧力状態を推測することができる。
【００５５】
その結果、本実施の形態においては、エアーコンディショナ２０２と給湯器２０１の両方を含むヒートポンプシステム１において、冷媒の圧力の検知精度を向上させることができるため、不必要に圧縮機２５３の運転を止めてしまったり、圧縮機２５３の運転周波数を低下させてしまったりすることを防止できる。
【００５６】
また、エアーコンディショナ２０２の種類や構成によって、空気熱交換器２１２の内部の冷媒の温度（中間温度）を検知する空気熱交中間温度センサの位置と空気熱交換器２１２の出口の冷媒の温度（出口温度）を検知する空気出口温度センサの位置と、のどちらが高いかはわからない。低い位置にある冷媒は液状態となっているため、温度が低く検知される可能性がある。そのため、本実施の形態においては、２つの温度センサからの出力値のうち、高い方の温度を用いて、圧縮機２５３の運転周波数を制御する。
【００５７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５８】
１  ヒートポンプシステム、１００  コントローラ、１０１  メモリ、１０２  ディスプレイ、１０３  タブレット、１０４  ボタン、１０５  通信インターフェイス、１０６  タッチパネル、１１０  ＣＰＵ、２０１  給湯器、２０２  エアーコンディショナ、２１１  水熱交換器、２１２  空気熱交換器、２２１，２２２  電子膨張弁、２３１  空気熱交中間温度センサ，２３２  空気出口温度センサ、２３３  水出口温度センサ、２３４  外気温度センサ、２５１  冷媒配管、２５２  冷媒配管、２５３  圧縮機、２５４  室外熱交換器、２５５  送風ファン、２５６  四方弁。
【図１】
0005583530.tif 000002
【図２】
0005583530.tif 000003
【図３】
0005583530.tif 000004